(57)【要約】【課題】使用者が意図したときに中敷部材を取り外すことができるコンパクト容器を提供する。【解決手段】コンパクト容器１０は、内容物が収容される第１収容部１１ａを備えた内容器１１および内容器１１が収容された外容器１２を有する容器本体１３と、容器本体１３に開閉可能に連結された蓋体１４と、容器本体１３と蓋体１４との間に配置された中敷部材１５と、を備えるコンパクト容器１０であって、中敷部材１５は、内容器１１を覆う本体部３３と、本体部３３の外周縁部に連結されるとともに容器本体１３に固定された固定部３４と、固定部３４の容器本体１３への固定状態を解除可能に保持する保持部３５と、を備えている。【選択図】図３
2018051184.tif 000002
【特許請求の範囲】
【請求項１】
内容物が収容される第１収容部を備えた内容器および前記内容器が収容された外容器を有する容器本体と、
前記容器本体に開閉可能に連結された蓋体と、
前記容器本体と前記蓋体との間に配置された中敷部材と、を備えるコンパクト容器であって、
前記中敷部材は、
前記内容器を覆う本体部と、
前記本体部の外周縁部に連結されるとともに前記容器本体に固定された固定部と、
前記固定部の前記容器本体への固定状態を解除可能に保持する保持部と、を備えていることを特徴とするコンパクト容器。
【請求項２】
前記固定部は、
前記本体部の外周縁部から、容器軸方向に沿う容器本体の底壁部側である下方に向けて延びる第１シート部と、
前記第１シート部の下端部から、容器軸方向に沿う蓋体の天壁部側である上方に向けて延びる第２シート部と、を備え、
前記保持部は、前記第２シート部の上端部に配設されていることを特徴とする請求項１に記載のコンパクト容器。
【請求項３】
前記第２シート部は、前記第１シート部に対して、前記容器本体の径方向の外側に位置することを特徴とする請求項２に記載のコンパクト容器。
【請求項４】
前記第１シート部には、前記第１シート部から前記径方向の外側に向けて突出し、前記容器本体に係止する係止片が設けられ、
前記係止片は、前記第２シート部を前記径方向に貫通する通過孔を通過し、前記第２シート部から前記径方向の外側に突出していることを特徴とする請求項３に記載のコンパクト容器。
【請求項５】
前記第１シート部には、前記第１シート部を前記容器本体の径方向に貫通する保持孔が設けられ、
前記保持部は、前記第２シート部の上端部から前記径方向に突出し、前記保持孔に係止されていることを特徴とする請求項２から４のいずれか１項に記載のコンパクト容器。
【請求項６】
前記本体部は、前記第１収容部を全域にわたって覆うことを特徴とする請求項１から５のいずれか１項に記載のコンパクト容器。
【請求項７】
前記本体部には、前記内容物を塗布する塗布具を収容する第２収容部が設けられていることを特徴とする請求項１から６のいずれか１項に記載のコンパクト容器。
【請求項８】
前記本体部は、前記固定部に、容器軸方向に回動可能に連結されていることを特徴とする請求項１から７のいずれか１項に記載のコンパクト容器。
【発明の詳細な説明】
【技術分野】
【０００１】
本発明は、コンパクト容器に関する。
【背景技術】
【０００２】
従来から、例えば下記特許文献１に記載のコンパクト容器が知られている。このコンパクト容器は、内容物が収容される内容器および内容器が収容された外容器を有する容器本体と、容器本体に開閉可能に連結された蓋体と、容器本体と蓋体との間に配置された中敷部材と、を備えている。
【先行技術文献】
【特許文献】
【０００３】
【特許文献１】特開２０１３−１１１４１４号公報
【発明の概要】
【発明が解決しようとする課題】
【０００４】
しかしながら、前記従来のコンパクト容器では、内容器と中敷部材とが一体成型されており、中敷部材を単独で取り外すことが実質的にはできない。
【０００５】
本発明は、前述した事情に鑑みてなされたものであって、使用者が意図したときに中敷部材を取り外すことができるコンパクト容器を提供することを目的とする。
【課題を解決するための手段】
【０００６】
前記課題を解決するために、本発明は以下の手段を提案している。
本発明に係るコンパクト容器は、内容物が収容される第１収容部を備えた内容器および前記内容器が収容された外容器を有する容器本体と、前記容器本体に開閉可能に連結された蓋体と、前記容器本体と前記蓋体との間に配置された中敷部材と、を備えるコンパクト容器であって、前記中敷部材は、前記内容器を覆う本体部と、前記本体部の外周縁部に連結されるとともに前記容器本体に固定された固定部と、前記固定部の前記容器本体への固定状態を解除可能に保持する保持部と、を備えていることを特徴とする。
【０００７】
この発明によれば、中敷部材が保持部を備えている。したがって、通常の使用時には、保持部によって固定部の固定状態を保持することで、容器本体からの中敷部材の予期せぬ離脱を防ぐことができる。また、使用者が、例えばコンパクト容器の用途などに応じて、中敷部材を容器本体から取り外したいときには、保持部による固定部の固定状態を解除することで、中敷部材を容器本体から円滑に取り外すことができる。
【０００８】
前記固定部は、前記本体部の外周縁部から、容器軸方向に沿う容器本体の底壁部側である下方に向けて延びる第１シート部と、前記第１シート部の下端部から、容器軸方向に沿う蓋体の天壁部側である上方に向けて延びる第２シート部と、を備え、前記保持部は、前記第２シート部の上端部に配設されていてもよい。
【０００９】
この場合、保持部が、第２シート部の上端部に配設されている。したがって、例えば、固定部の固定状態を解除するために保持部を操作するとき等に、容器本体の上方から保持部を容易に操作することができる。
また、第１シート部が、本体部の外周縁部から下方に向けて延び、第２シート部が、第１シート部の下端部から上方に向けて延び、保持部が、第２シート部の上端部に配設されている。したがって、本体部、第１シート部、第２シート部および保持部を平面状に展開することが可能になり、中敷部材を１枚のシート材によって容易に形成することができる。
【００１０】
前記第２シート部は、前記第１シート部に対して、前記容器本体の径方向の外側に位置してもよい。
【００１１】
この場合、第２シート部が、第１シート部に対して径方向の外側に位置している。この第２シート部の上端部には、保持部が配設されている。したがって、容器本体の上方からの保持部への操作を一層容易に実施することができる。
【００１２】
前記第１シート部には、前記第１シート部から前記径方向の外側に向けて突出し、前記容器本体に係止する係止片が設けられ、前記係止片は、前記第２シート部を前記径方向に貫通する通過孔を通過し、前記第２シート部から前記径方向の外側に突出していてもよい。
【００１３】
この場合、係止片が、通過孔を通過して第２シート部から径方向の外側に突出している。これにより、容器本体に対する係止片の係止が第２シート部によって邪魔されることを抑制し、係止片を容器本体に強固に係止させることができる。
【００１４】
前記第１シート部には、前記第１シート部を前記容器本体の径方向に貫通する保持孔が設けられ、前記保持部は、前記第２シート部の上端部から前記径方向に突出し、前記保持孔に係止されていてもよい。
【００１５】
この場合、保持部が、第２シート部の上端部から径方向に突出し、保持孔に係止されている。したがって、保持部を径方向に移動させ、保持部を保持孔から離脱させるという単純な操作により、固定部の固定状態を解除することができる。これにより、保持部の操作性を向上させることができる。
【００１６】
前記本体部は、前記第１収容部を全域にわたって覆ってもよい。
【００１７】
この場合、本体部が、第１収容部を全域にわたって覆っている。したがって、例えば、このコンパクト容器が内容物を収容した状態で流通するとき等に、第１収容部からの内容物の飛散を、本体部によって規制することができる。
【００１８】
前記本体部には、前記内容物を塗布する塗布具を収容する第２収容部が設けられていてもよい。
【００１９】
この場合、本体部に第２収容部が設けられている。したがって、例えば、中敷部材を離脱させた後、別の中敷部材を適用すること等により、コンパクト容器の用途に応じた多様な第２収容部を採用することができる。
【００２０】
前記本体部は、前記固定部に、容器軸方向に回動可能に連結されていてもよい。
【００２１】
この場合、本体部が、固定部に、容器軸方向に回動可能に連結されている。したがって、容器本体から固定部を引き抜くときに、本体部を上方に向けて引き上げることで、本体部を固定部に対して上方に回動させることができる。これにより、固定部を引き抜き易くすることができる。
【発明の効果】
【００２２】
本発明によれば、使用者が意図したときに中敷部材を取り外すことができる。
【図面の簡単な説明】
【００２３】
【図１】本発明の第１実施形態に係るコンパクト容器の平面図である。
【図２】図１に示すＡ−Ａ矢視断面図である。
【図３】図１に示すＢ−Ｂ矢視断面図である。
【図４】図３に示すコンパクト容器の要部を示す拡大図である。
【図５】図３に示すコンパクト容器を使用する状態を示す断面図である。
【図６】図１に示すコンパクト容器を構成する中敷部材の平面図である。
【図７】図６に示すＣ−Ｃ矢視断面図である。
【図８】図３に示すコンパクト容器から中敷部材を取り外す方法を説明する断面図であって、保持部を保持孔から離脱させた状態を示す図である。
【図９】図３に示すコンパクト容器から中敷部材を取り外す方法を説明する断面図であって、図８に示す状態から本体部を上方に向けて引き上げた状態を示す図である。
【図１０】図９に示すコンパクト容器の要部を示す拡大図である。
【図１１】図３に示すコンパクト容器から中敷部材を取り外す方法を説明する断面図であって、図９に示す状態から本体部を更に上方に向けて引き上げて係止片の係止を解除している状態を示す図である。
【図１２】図１１に示すコンパクト容器の要部を示す拡大図である。
【図１３】図３に示すコンパクト容器から中敷部材を取り外す方法を説明する断面図であって、図１１に示す状態から本体部を更に上方に向けて引き上げて固定部を容器本体から離脱させた状態を示す図である。
【図１４】図１に示すコンパクト容器を構成する中敷部材の平面図であって、第２収容部に第１塗布具を収容した状態を示す図である。
【図１５】図１４に示す中敷部材の断面図である。
【図１６】図１４に示す中敷部材の平面図であって、第２収容部に第２塗布具を収容した状態を示す図である。
【図１７】図１６に示す中敷部材の断面図である。
【図１８】図１４、図１６に示す中敷部材の第１変形例を示す平面図であって、第２収容部に第３塗布具を収容した状態を示す図である。
【図１９】図１８に示す中敷部材の断面図である。
【図２０】図１４、図１６に示す中敷部材の第２変形例を示す平面図であって、第２収容部に第４塗布具を収容した状態を示す図である。
【図２１】図２０に示す中敷部材の断面図である。
【図２２】本発明の第２実施形態に係るコンパクト容器の平面図である。
【図２３】図２２に示すＤ−Ｄ矢視断面図である。
【図２４】図２２に示すＥ−Ｅ矢視断面図である。
【図２５】図２２に示すコンパクト容器を構成する中敷部材の平面図である。
【図２６】図２５に示すＦ−Ｆ矢視断面図である。
【発明を実施するための形態】
【００２４】
（第１実施形態）
以下、図１から図２１を参照し、本発明の第１実施形態に係るコンパクト容器を説明する。
図１から図５に示すように、コンパクト容器１０は、例えば、内容物としてのファンデーション等の化粧品を収容する携帯用の蓋付き容器であり、平面視矩形状の扁平容器である。コンパクト容器１０は、内容物が収容される第１収容部１１ａを備えた内容器１１および内容器１１が収容された外容器１２を有する容器本体１３と、容器本体１３に開閉可能に連結された蓋体１４と、容器本体１３と蓋体１４との間に配置された中敷部材１５（中敷シート）と、を備える。
【００２５】
容器本体１３は、偏平な有底筒状に形成され、蓋体１４は、偏平な有頂筒状に形成されている。これらの容器本体１３および蓋体１４の各中心軸は、共通軸上に配置されている。以下では、この共通軸を容器軸Ｏといい、容器軸Ｏに沿う方向を上下方向Ｚ（容器軸Ｏ方向）という。上下方向Ｚに沿って、容器本体１３の底部側を下方といい、蓋体１４の天壁部側を上方という。上下方向Ｚから見た平面視において、容器軸Ｏに交差する方向を径方向（容器本体１３の径方向）という。
【００２６】
蓋体１４は、容器本体１３にヒンジ１６を介して、上下方向Ｚに回動可能に連結されている。以下では、ヒンジ１６の軸線方向を左右方向Ｘといい、上下方向Ｚおよび左右方向Ｘの両方向に直交する方向を前後方向Ｙという。前後方向Ｙに沿う容器軸Ｏに対するヒンジ１６側を後側といい、その反対側を前側という。
【００２７】
外容器１２は、外殻体２１と、収容体２２と、ヒンジ凹部２３と、プッシュピース２４と、を備えている。外殻体２１および収容体２２は、平面視において矩形状に形成されている。
図２に示すように、外殻体２１は、有底筒状に形成されている。外殻体２１の底壁部には、支持部２５が形成されている。支持部２５は、収容体２２を下方から支持する。支持部２５は、前記底壁部の外周縁部から上方に向けて突出している。
【００２８】
図３に示すように、収容体２２は、上下方向Ｚの両側に向けて開口する筒状に形成されている。収容体２２の下端部は、支持部２５によって下方から支持されている。収容体２２の上端部は、下方から上方に向かうに従い漸次、径方向の外側に向けて延びている。前記上端部には、径方向の外側に向けて突出するフランジ部２６が設けられている。フランジ部２６の外周縁部は、外殻体２１の上端部によって下方から支持されている。
【００２９】
図４に示すように、収容体２２には、切り欠き部２７が設けられている。切り欠き部２７は、収容体２２における左右方向Ｘの端部に１つ設けられている。切り欠き部２７は、収容体２２の上端部から下端部に至るまで、収容体２２の上下方向Ｚの全長にわたって形成されている。フランジ部２６のうち、切り欠き部２７に連なる部分は、垂下部２８が設けられている。垂下部２８は、フランジ部２６における左右方向Ｘ（径方向）の内側の端部から、下方に向けて延びている。
【００３０】
図２に示すように、ヒンジ凹部２３は、外殻体２１の後端部に設けられている。ヒンジ凹部２３は、前方に向けて窪んでいる。
プッシュピース２４は、外殻体２１の前端部に設けられている。プッシュピース２４は、後方に向けて押し込み可能に形成されている。プッシュピース２４は、後方に向けて押し込んだときに、前方に向けて付勢される。
【００３１】
内容器１１は、下方に向けて窪む皿状に形成されている。第１収容部１１ａは、内容器１１の内部の全体によって形成されている。内容器１１は、収容体２２内に嵌合されている。内容器１１は、外殻体２１の底壁部上に配置されている。
蓋体１４には、ヒンジ凸部２９と、鏡体３０と、が設けられている。ヒンジ凸部２９は、蓋体１４の後端部に設けられている。ヒンジ凸部２９は、蓋体１４から下方に向けて延びている。ヒンジ凹部２３とヒンジ凸部２９とが、左右方向Ｘに延びる軸部３１を介して連結されることで、前記ヒンジ１６を形成している。軸部３１の軸線は、ヒンジ１６の軸線を形成している。鏡体３０は、板状に形成されている。鏡体３０は、蓋体１４の天壁部の下面に固定されている。
【００３２】
容器本体１３および蓋体１４には、係合部３２が各別に設けられている。容器本体１３および蓋体１４の各係合部３２が互いに係合することで、蓋体１４のヒンジ１６回りの回動が規制されている。各係合部３２は、互いに乗り越え可能に係合されている。各係合部３２の係合は、プッシュピース２４が後方に向けて押し込まれたときに解除される。本実施形態では、プッシュピース２４が蓋体１４の係合部３２を上方に向けて押し上げることで、前記係合を解除する。
【００３３】
図３から図７に示すように、中敷部材１５は、本体部３３と、固定部３４と、保持部３５と、を備えている。
本体部３３は、内容器１１を上方から覆う。本体部３３は、第１収容部１１ａを全域にわたって覆っている。本体部３３には、第２収容部３６が設けられている。第２収容部３６は、内容物を塗布する塗布具５０（図１４から図２１参照）を収容する。第２収容部３６は、偏平の有底筒状に形成されている。第２収容部３６は、本体部３３において外周縁部よりも内側に位置している。本体部３３の外周縁部は、鍔状に形成されている。
【００３４】
図４に示すように、固定部３４は、本体部３３の外周縁部に連結されている。固定部３４は、容器本体１３に固定されている。固定部３４は、内容器１１と外容器１２との間（内容器１１の外周面と外容器１２の内周面との間の空間）に配置されている。固定部３４は、容器本体１３の左右方向Ｘの端部に配置されている。固定部３４は、前記切り欠き部２７に配置されている。固定部３４の左右方向Ｘ（径方向）の大きさは、切り欠き部２７の左右方向Ｘの大きさと同等となっている。これにより、容器本体１３に対する固定部３４の左右方向Ｘへの大きながたつきが抑えられる。
【００３５】
固定部３４は、第１シート部３７と、第２シート部３８と、を備えている。
第１シート部３７は、本体部３３の外周縁部から下方に向けて延びている。第１シート部３７の上端部は、本体部３３の外周縁部に連なっている。第１シート部３７は、内容器１１に左右方向Ｘ（径方向）の外側から係止している。第２シート部３８は、第１シート部３７の下端部から上方に向けて延びている。第２シート部３８の上端部は、保持部３５の下端部に連なっている。第２シート部３８は、第１シート部３７に対して左右方向Ｘ（径方向）の外側に位置している。第２シート部３８の上端部は、第１シート部３７の上端部よりも下方に位置している。
【００３６】
第１シート部３７には、保持孔３９が形成されている。保持孔３９は、第１シート部３７を左右方向Ｘ（径方向）に貫通する。保持孔３９は、第２シート部３８の上端部よりも上方に配置されている。
第２シート部３８には、通過孔４０が形成されている。通過孔４０は、第２シート部３８を左右方向Ｘ（径方向）に貫通する。通過孔４０は、保持孔３９よりも下方に配置されている。
【００３７】
第１シート部３７には、配置孔４１と、係止片４２と、が更に設けられている。配置孔４１および係止片４２は、第１シート部３７に対して打ち抜き加工が施されることで、互いに同等の形状でかつ同等の大きさに形成されている。
配置孔４１は、第１シート部３７を左右方向Ｘ（径方向）に貫通する。配置孔４１は、通過孔４０よりも下方に配置されている。
【００３８】
係止片４２は、第１シート部３７から左右方向Ｘ（径方向）の外側に向けて突出している。係止片４２は、第１シート部３７における配置孔４１の開口周縁部から、左右方向Ｘに突出している。係止片４２の基端縁は、前記開口周縁部のうち、上方に位置する上端縁に、上下方向Ｚに回動可能に連結されている。
係止片４２は、外容器１２に係止している。係止片４２は、通過孔４０を通過して第２シート部３８から左右方向Ｘの外側に突出している。係止片４２において第２シート部３８から左右方向Ｘの外側に突出する先端部が、垂下部２８に下方から係止している。
【００３９】
保持部３５は、固定部３４の容器本体１３への固定状態を解除可能に保持する。保持部３５は、第２シート部３８の上端部に配設されている。保持部３５は、第２シート部３８の上端部から左右方向Ｘ（径方向）に突出し、保持孔３９に係止されている。保持部３５が保持孔３９に係止されることで、第１シート部３７と第２シート部３８との上下方向Ｚの相対的な変位が規制されている。
【００４０】
保持部３５は、第２シート部３８から左右方向Ｘの内側に向けて突出している。保持部３５の前後方向Ｙの大きさ（幅）は、第２シート部３８の前後方向Ｙの大きさ（幅）よりも小さい。保持部３５は、上方に向けて突となる屈曲部３５ａを有する逆Ｖ字状に形成されている。屈曲部３５ａは、第１シート部３７よりも左右方向Ｘの内側に位置している。保持部３５の先端部は、第１シート部３７に左右方向Ｘの内側から係止している。
【００４１】
図５に示すように、本体部３３は、固定部３４に、上下方向Ｚに回動可能に連結されている。これにより、内容物の使用時には、本体部３３を上方に向けて回動させ、第１収容部１１ａ（内容器１１）を上方に向けて開放することができる。なおこのとき、固定部３４にも上方に向けて引き上げる力が作用する。しかしながら、保持部３５が保持孔３９に係止することで、固定部３４による固定状態が保持されている。その結果、係止片４２の係止が解除されることが抑えられ、固定部３４の切り欠き部２７からの離脱が規制される。
【００４２】
図６および図７に示すように、中敷部材１５は、１枚のシート材４３によって形成されている。本体部３３、第１シート部３７、第２シート部３８および保持部３５は、平面状に展開することができる。中敷部材１５は、平面状に展開されたシート材４３において、本体部３３と第１シート部３７との連結部、第１シート部３７と第２シート部３８との連結部それぞれを屈曲させ、さらに、係止片４２に通過孔４０を通過させるとともに、保持部３５に保持孔３９を通過させることにより形成される。
【００４３】
次に、図８から図１３を参照して、容器本体１３から中敷部材１５を取り外す方法について説明する。
【００４４】
図８から図１０に示すように、保持部３５を操作して固定部３４の固定状態を解除するとともに、本体部３３を第１シート部３７の上端部を中心に上方に向けて回動させる。このとき、保持部３５を保持孔３９から左右方向Ｘの外側に引き抜いて保持孔３９から離脱させる。
【００４５】
その後、図１１および図１２に示すように、本体部３３を上方に向けて引き上げる。すると、固定部３４にも上方に向けて引き上げる力が作用する。このとき、保持部３５による固定状態が解除されていることから、第１シート部３７が第２シート部３８に対して上方に向けて引き上げられる。これにより、係止片４２の先端部が垂下部２８に係止した状態で、係止片４２の基端縁が第１シート部３７とともに引き上げられる。
【００４６】
その結果、係止片４２の基端縁が、係止片４２の先端縁に対して相対的に上方に移動し、係止片４２が、第１シート部３７および第２シート部３８と一体に折り畳まれるように上下方向Ｚに対して傾斜する。このとき係止片４２は、左右方向Ｘの外側に向かうに従い漸次、下方に向けて延び、第２シート部３８からの係止片４２の突出量は小さくなる。そして、係止片４２の垂下部２８への係止が解除される。
【００４７】
その後、図１３に示すように、本体部３３を更に上方に向けて引き上げると、固定部３４が切り欠き部２７から離脱され、容器本体１３から中敷部材１５が取り外される。
中敷部材１５を再度、容器本体１３に装着させるときには、シート材４３を折り曲げて保持部３５を保持孔３９に係止させた状態で、固定部３４を切り欠き部２７に挿し込む。これにより、固定部３４が容器本体１３に固定される。
【００４８】
なお図１４から図１７に示すように、第２収容部３６には、多様な塗布具５０を収容することができる。例えば図１４および図１５に示すように、塗布具５０として、スポンジ状の第１塗布具５１を収容することができる。また図１６および図１７に示すように、塗布具５０として、毛部５０ａを有する第２塗布具５２を収容することもできる。
【００４９】
また、前述のように中敷部材１５を着脱させることができるので、中敷部材１５を適宜、交換することで、例えば、図１８から図２１に示すように、第２収容部３６を変更することができる。
図１８および図１９に示すように、第１変形例の中敷部材１５Ａとして、第２収容部３６に位置決め部４４が設けられた構成を採用することも可能である。位置決め部４４は、第２収容部３６の底壁面から上方に向けて突出している。位置決め部４４は、左右方向Ｘに間隔をあけて一対設けられている。本変形例の中敷部材１５Ａの第２収容部３６には、例えば、前後方向Ｙに長い第３塗布具５３を収容することができる。第３塗布具５３は、一対の位置決め部４４間に配置され、位置決め部４４によって左右方向Ｘに位置決めされている。
図２０および図２１に示すように、第２変形例の中敷部材１５Ｂとして、第２収容部３６が複数設けられた構成を採用することも可能である。第２収容部３６は、本体部３３に左右方向Ｘに一対並設されている。各第２収容部３６は、前後方向Ｙに長い。本変形例の中敷部材１５には、例えば、前後方向Ｙに長い複数の第４塗布具５４を収容することができる。
【００５０】
以上説明したように、本実施形態に係るコンパクト容器１０によれば、中敷部材１５、１５Ａ、１５Ｂが保持部３５を備えている。したがって、通常の使用時には、保持部３５によって固定部３４の固定状態を保持することで、容器本体１３からの中敷部材１５、１５Ａ、１５Ｂの予期せぬ離脱を防ぐことができる。また、使用者が、例えばコンパクト容器１０の用途などに応じて、中敷部材１５、１５Ａ、１５Ｂを容器本体１３から取り外したいときには、保持部３５による固定部３４の固定状態を解除することで、中敷部材１５、１５Ａ、１５Ｂを容器本体１３から円滑に取り外すことができる。
【００５１】
また、保持部３５が、第２シート部３８の上端部に配設されている。したがって、例えば、固定部３４の固定状態を解除するために保持部３５を操作するとき等に、容器本体１３の上方から保持部３５を容易に操作することができる。
また、第１シート部３７が、本体部３３の外周縁部から下方に向けて延び、第２シート部３８が、第１シート部３７の下端部から上方に向けて延び、保持部３５が、第２シート部３８の上端部に配設されている。したがって、本体部３３、第１シート部３７、第２シート部３８および保持部３５を平面状に展開することが可能になり、中敷部材１５、１５Ａ、１５Ｂを１枚のシート材４３によって容易に形成することができる。
【００５２】
また、第２シート部３８が、第１シート部３７に対して左右方向Ｘの外側に位置している。この第２シート部３８の上端部には、保持部３５が配設されている。したがって、容器本体１３の上方からの保持部３５への操作を一層容易に実施することができる。
また、係止片４２が、通過孔４０を通過して第２シート部３８から左右方向Ｘの外側に突出している。これにより、外容器１２に対する係止片４２の係止が第２シート部３８によって邪魔されることを抑制し、係止片４２を外容器１２に強固に係止させることができる。
【００５３】
また、保持部３５が、第２シート部３８の上端部から左右方向Ｘに突出し、保持孔３９に係止されている。したがって、保持部３５を左右方向Ｘに移動させ、保持部３５を保持孔３９から離脱させるという単純な操作により、固定部３４の固定状態を解除することができる。これにより、保持部３５の操作性を向上させることができる。
【００５４】
また、本体部３３が、第１収容部１１ａを全域にわたって覆っている。したがって、例えば、このコンパクト容器１０が内容物を収容した状態で流通するとき等に、第１収容部１１ａからの内容物の飛散（例えば、鏡体３０への内容物の付着）を、本体部３３によって規制することができる。
【００５５】
また、本体部３３に第２収容部３６が設けられている。したがって、例えば、中敷部材１５を離脱させた後、別の中敷部材１５Ａ、１５Ｂを適用すること等により、コンパクト容器１０の用途に応じた多様な第２収容部３６を採用することができる。
また、本体部３３が、固定部３４に、上下方向Ｚに回動可能に連結されている。したがって、容器本体１３の切り欠き部２７（内容器１１と外容器１２との間の空間）から固定部３４を引き抜くときに、本体部３３を上方に向けて引き上げることで、本体部３３を固定部３４に対して上方に回動させることができる。これにより、固定部３４を引き抜き易くすることができる。
【００５６】
（第２実施形態）
次に、本発明に係る第２実施形態のコンパクト容器６０を、図２２から図２６を参照して説明する。
なお、この第２実施形態においては、第１実施形態における構成要素と同一の部分については同一の符号を付し、その説明を省略し、異なる点についてのみ説明する。
【００５７】
図２２から図２６に示すように、本実施形態に係るコンパクト容器６０では、中敷部材１５Ｃの本体部３３が、第２収容部３６を備えていない。本体部３３は、表裏面が上下方向Ｚを向く平板状に形成されている。
【００５８】
以上説明したように、本実施形態に係るコンパクト容器６０によれば、本体部３３が、第２収容部３６を備えておらず、さらに平板状に形成されている。これにより、コンパクト容器６０の上下方向Ｚの大きさ（厚さ）を小さくし、薄型のコンパクト容器６０を形成することができる。
【００５９】
なお、本実施形態に係るコンパクト容器６０では、第１実施形態に係るコンパクト容器１０と同様に、使用者が、例えばコンパクト容器６０の用途などに応じて、容器本体１３から中敷部材１５Ｃを取り外したいときには取り外し、中敷部材１５Ｃを取り外した状態で使用することができる。一方で、例えば、使用者が内容物の飛散を抑えつつ、コンパクト容器６０を使用したい場合には、中敷部材１５Ｃを取り外さない状態で使用することもできる。
さらに、本実施形態に係るコンパクト容器６０は、容器本体１３から中敷部材１５Ｃを取り外した後、第２収容部３６を有する他の中敷部材１５、１５Ａ、１５Ｂを装着させた状態で使用することもできる。
【００６０】
なお、本発明の技術的範囲は前記実施形態に限定されるものではなく、本発明の趣旨を逸脱しない範囲において種々の変更を加えることが可能である。
【００６１】
前記実施形態では、保持部３５が保持孔３９に係止されているが、本発明はこれに限られない。例えば、保持部３５が、保持部３５を貫通する貫通孔を有し、第１シート部３７に、貫通孔に係止する突出片が設けられ、保持部３５の貫通孔に突出片が係止することで、保持部３５が固定状態を保持していてもよい。
第２シート部３８が、第１シート部３７に対して左右方向Ｘ（径方向）の内側に位置していてもよい。
【００６２】
内容器１１が、例えば外容器１２に対して着脱可能に装着されていて、内容器１１が交換可能であってもよい。
内容器１１が、第１収容部１１ａのみを備えているが、本発明はこれに限られない。例えば、内容器１１が、第１収容部１１ａのみならず、塗布具５０を収容する第２収容部を備えていてもよい。この場合、本体部３３として、第１収容部１１ａおよび第２収容部の両方を覆う構成を採用することができる。
【００６３】
前記実施形態では、固定部３４が、内容器１１と外容器１２との間に配置されているが、本発明はこれに限られない。例えば、内容器１１や外容器１２に、下方に向けて窪む凹部が設けられ、固定部３４が、前記凹部に配置されてもよい。
【００６４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６５】
１０、６０     コンパクト容器
１１   内容器
１１ａ 第１収容部
１２   外容器
１３   容器本体
１４   蓋体
１５、１５Ａ、１５Ｂ、１５Ｃ   中敷部材
２１   外殻体
２２   収容体
３３   本体部
３４   固定部
３５   保持部
３６   第２収容部
３７   第１シート部
３８   第２シート部
３９   保持孔
４０   通過孔
４２   係止片
５０   塗布具
Ｏ     容器軸
【図１】
2018051184.tif 000003
【図２】
2018051184.tif 000004
【図３】
2018051184.tif 000005
【図４】
2018051184.tif 000006
【図５】
2018051184.tif 000007
【図６】
2018051184.tif 000008
【図７】
2018051184.tif 000009
【図８】
2018051184.tif 000010
【図９】
2018051184.tif 000011
【図１０】
2018051184.tif 000012
【図１１】
2018051184.tif 000013
【図１２】
2018051184.tif 000014
【図１３】
2018051184.tif 000015
【図１４】
2018051184.tif 000016
【図１５】
2018051184.tif 000017
【図１６】
2018051184.tif 000018
【図１７】
2018051184.tif 000019
【図１８】
2018051184.tif 000020
【図１９】
2018051184.tif 000021
【図２０】
2018051184.tif 000022
【図２１】
2018051184.tif 000023
【図２２】
2018051184.tif 000024
【図２３】
2018051184.tif 000025
【図２４】
2018051184.tif 000026
【図２５】
2018051184.tif 000027
【図２６】
2018051184.tif 000028